【手続補正書】
【提出日】平成15年5月21日(2003.5.21)
【手続補正１】
【補正対象書類名】明細書
【補正対象項目名】特許請求の範囲
【補正方法】変更
【補正の内容】
【特許請求の範囲】
【請求項１】
対象者のダイエット及び活動量を監視する装置において、
時間指示信号を出力するように動作できるタイムジェネレータと、
対象者の身体活動を監視するためのもので、対象者の身体活動量を表わす身体活動量信号を出力するように動作できる身体活動量モニタと、
対象者が食品を消費するときに対象者が手動で操作できる消費記入制御器であって、食品消費の時間を示す食品フラグを含む時間指示信号を前記タイムジェネレータから出力し前記対象者に表示するための前記消費記入制御器と、
前記食品フラグの各々について食品データを入力するための食品データ入力手段と、
前記身体活動量指示信号を受信しそして記憶するように動作できる活動量計算装置と、
前記消費記入制御器と通信し、そして前記食品フラグの各々について、またそれにより表される食品消費を計算するために入力された食品データを受信するように動作できる消費量計算装置と、
を備えた監視装置。
【請求項２】
前記身体活動量モニタは、対象者の脈拍数を決定するように動作できる脈拍数モニタを含み、前記身体活動量指示信号は、脈拍数指示信号である請求項１に記載の監視装置。
【請求項３】
前記身体活動量モニタは、対象者の運動を決定するよう動作できる運動センサを含み、前記身体活動量指示信号は、身体運動指示信号である請求項１に記載の監視装置。
【請求項４】
前記身体活動量モニタは、対象者の位置を決定するように動作できるＧＰＳベースの追跡装置を含み、前記身体活動量指示信号は、位置指示信号であり、そして
前記活動量計算装置は、更に、前記時間指示信号を受信して、ある時間周期にわたり対象者の位置の変化を決定することにより対象者の身体活動量を決定するように動作できる請求項１に記載の監視装置。
【請求項５】
前記身体活動量モニタは、対象者の呼吸を監視するように動作できる呼吸センサを含む請求項１に記載の監視装置。
【請求項６】
前記食品データ入力手段は、対象者からの音声表示を受信するように動作できる音声記録装置を含む請求項１に記載の監視装置。
【請求項７】
前記食品データ入力手段は、デジタルカメラを含む請求項１に記載の監視装置。
【請求項８】
対象者のダイエット及び活動量データを記録するためのポータブル装置において、
対象者によって支持されるように構成されたハウジングと、
対象者に情報を表示するためのディスプレイと、
対象者の身体活動量を監視するように動作できる身体活動量モニタと、
食品消費が生じるときにそれを記入するよう対象者により操作できる入力と、
時間指示信号を出力するように手動で動作できるタイムジェネレータと、
前記タイムジェネレータから前記時間指示信号を受信するよう動作でき、更に、それを前記ディスプレイに食品フラグとして表示できるプロセッサと、
を備えたポータブル装置。
【請求項９】
マイクロホン及びマイクロホン制御器を更に備え、マイクロホン制御器は、マイクロホンからの音声信号を受信して記憶するように動作でき、対象者が音声表示を記録できるようにする請求項８に記載の装置。
【請求項１０】
音声信号を、テキストメッセージを表わすデータへと変換するよう動作できる音声認識ソフトウェアを更に備えた請求項９に記載の装置。
【請求項１１】
光学的像形成センサ及び像形成制御器を更に備え、像形成制御器は、像形成センサからの光学的信号を受信して記憶するように動作できる請求項８に記載の装置。
【請求項１２】
前記身体活動量モニタは、装置を支持する対象者の位置を決定しそしてその位置を表わす信号を発生するように動作できる地理的位置決定装置を含む請求項８に記載の装置。
【請求項１３】
前記位置決定装置は、グローバルポジショニングシステムをベースとする位置決定装置である請求項１２に記載の装置。
【請求項１４】
前記身体活動量モニタは、更に、時間指示信号を受信し、そして対象者の位置の変化率及び対象者の身体活動量を決定するように動作できる請求項１２に記載の装置。
【請求項１５】
前記身体活動量モニタは、脈拍数モニタを含む請求項８に記載の装置。
【請求項１６】
前記身体活動量モニタは、身体運動センサを含む請求項８に記載の装置。
【請求項１７】
前記身体活動量モニタは、対象者の呼吸を感知するように動作できる呼吸センサを含む請求項８に記載の装置。
【請求項１８】
計算装置と通信するための通信トランシーバを更に備えた請求項８に記載の装置。
【請求項１９】
対象者の消費ログを形成するためのシステムにおいて、
時間指示信号を出力するように動作できるタイムジェネレータ、及び対象者が食品を消費するときにそれを指示するように対象者により手動で操作できる消費記入制御器を有するポータブル装置を備え、このポータブル装置は、更に、前記消費記入制御器と通信しそして前記時間指示信号を受信するように動作できるプロセッサも有し、このプロセッサは、更に、前記消費記入制御器が動作される時間を決定してそれを記憶するように動作でき、前記ポータブル装置は、更に、前記記憶された時間を表わすデータを送信するための通信トランシーバを有し、そして
ディスプレイ、及び前記ポータブル装置からのデータを受信するための通信トランシーバを有する計算装置を備え、この計算装置は、前記ポータブル装置からデータを受信しそして前記消費記入制御器が手動で動作された時間を食品フラグの形で表示するよう動作できる、
ように構成されたシステム。
【請求項２０】
前記計算装置は、更に、消費選択を表示するように動作でき、その表示される選択は、前記消費記入制御器が動作された時間に基づく請求項１９に記載のシステム。
【請求項２１】
前記計算装置は、オペレータ入力を備え、そして各記録された時間における食品消費に関するオペレータ入力に基づいて消費ログを形成しそして対象者のカロリー消費量を決定するように動作できる請求項２０に記載のシステム。
【請求項２２】
前記ポータブル装置は、更に、対象者の身体活動量を監視しそして対象者の身体活動量を表わすデータを記憶するよう動作できる身体活動量モニタを備え、前記通信トランシーバは、更に、身体活動量を表わす記憶されたデータを計算装置へ送信するように動作できる請求項１９に記載のシステム。
【請求項２３】
前記計算装置は、更に、身体活動量を表わすデータに対応する情報を表示するように動作できる請求項２２に記載のシステム。
【請求項２４】
前記計算装置は、更に、活動ログを形成しそして対象者の活動量レベルを決定するように動作できる請求項２３に記載のシステム。
【請求項２５】
対象者の消費ログを形成するための方法において、
対象者が食品を消費するたびに対象者により操作できる消費記入制御器を有するポータブル装置を用意し、
対象者が食品を消費するたびに前記消費記入制御器を手動で操作して、消費記入制御器の各操作の時間を記録し、
前記ポータブル装置から記録された時間を受信するように動作できる計算装置を用意し、
記録された時間を前記計算装置へ転送し、
記録された時間を食品フラグの形で対象者に表示し、そして
記録された時間の各々に対して消費された食品を記録する、
ステップを備えた方法。
【請求項２６】
前記対象者に前記ポータブル装置を支持させる請求項２５に記載の方法。
【請求項２７】
前記消費記入制御器は、対象者が食品を消費するたびにその始めと終りに操作される請求項２５に記載の方法。
【請求項２８】
前記計算装置は、オペレータ入力を備え、そして各記録された時間における食品消費に関するオペレータ入力に基づいて対象者のカロリー消費量を決定すると共に、対象者の身体活動量を表わすデータに基づいて対象者のカロリー消耗量を決定するよう動作できる請求項２２に記載のシステム。
【請求項２９】
前記計算装置は、対象者の安静エネルギー消耗量に対するオペレータの入力を受信し、そして活動量及び安静エネルギー消耗量に基づいて対象者のカロリー消費量と対象者のカロリー消耗量との差を計算して表示する請求項２２に記載のシステム。